(57)【要約】【課題】  光ディスクへの情報データの記録中に、光ディスクへの書き込みパワーを決定するＯＰＣと呼ばれるキャリブレーションが必要になったとき、ＯＰＣと呼ばれるキャリブレーション中に、バッファメモリに蓄積された情報データがオーバフローして欠落することなく、光ディスクに情報データを記録することができるようにする。【解決手段】  光ディスクへの情報データの記録時間が一定時間経過したとき、或いは、光ピックアップの周囲温度の一定以上温度上昇したとき、バッファメモリに蓄積された情報データを光ディスクに少なくとも２倍速以上の記録速度で記録して、光ディスクへの書き込みパワーを決定するＯＰＣと呼ばれるキャリブレーションを行い、ＯＰＣと呼ばれるキャリブレーションが終了したとき、バッファメモリに蓄積された情報データの光ディスクへの記録を再開するようにする。【選択図】        図３
2006134420.tif 000002
【特許請求の範囲】
【請求項１】
追記可能な光ディスク、書き換え可能な光ディスクに情報データを記録再生するディスク装置であって、
光ディスクへの情報データの記録時間を計時するタイマ手段と、光ピックアップの周囲温度を検出する温度検出手段と、光ディスクに記録する情報データを一時的に蓄積するバッファ手段と、前記タイマ手段が一定時間を計時したとき、或いは、前記温度検出手段が光ピックアップの周囲温度の一定以上の温度上昇を検出したとき、前記バッファ手段に蓄積された情報データを光ディスクに少なくとも２倍速以上の記録速度で記録する記録手段と、前記記録手段により前記バッファ手段に蓄積された情報データが光ディスクに記録されて、前記バッファ手段に蓄積された情報データの蓄積量が殆どなくなったとき、光ディスクへの書き込みパワーを決定するＯＰＣと呼ばれるキャリブレーションを行うキャリブレーション手段と、前記キャリブレーション手段により光ディスクへの書き込みパワーを決定するＯＰＣと呼ばれるキャリブレーションが終了した後、前記バッファ手段に情報データが所定量蓄積されてから、前記バッファ手段に蓄積された情報データの光ディスクへの記録を再開する記録再開手段とを備えたことを特徴とするディスク装置。
【請求項２】
追記可能な光ディスク、書き換え可能な光ディスクに情報データを記録再生するディスク装置であって、
光ディスクへの情報データの記録時間を計時するタイマ手段と、光ピックアップの周囲温度を検出する温度検出手段と、光ディスクに記録する情報データを一時的に蓄積するバッファ手段と、前記タイマ手段が一定時間を計時したとき、或いは、前記温度検出手段が光ピックアップの周囲温度の一定以上の温度上昇を検出したとき、前記バッファ手段に蓄積された情報データを光ディスクに高速で記録する記録手段と、光ディスクへの書き込みパワーを決定するＯＰＣと呼ばれるキャリブレーションを行うキャリブレーション手段と、前記キャリブレーション手段により光ディスクへの書き込みパワーを決定するＯＰＣと呼ばれるキャリブレーションが終了したとき、前記バッファ手段に蓄積された情報データの光ディスクへの記録を再開する記録再開手段とを備えたことを特徴とするディスク装置。
【請求項３】
前記記録手段は、前記バッファ手段に蓄積された情報データを光ディスクに少なくとも２倍速以上の記録速度で記録する記録手段であることを特徴とする請求項２記載のディスク装置。
【請求項４】
前記キャリブレーション手段は、前記記録手段により前記バッファ手段に蓄積された情報データが光ディスクに記録されて、前記バッファ手段に蓄積された情報データの蓄積量が殆どなくなったとき、光ディスクへの書き込みパワーを決定するＯＰＣと呼ばれるキャリブレーションを行うキャリブレーション手段であることを特徴とする請求項２記載のディスク装置。
【請求項５】
前記記録再開手段は、前記キャリブレーション手段により光ディスクへの書き込みパワーを決定するＯＰＣと呼ばれるキャリブレーションが終了した後、前記バッファ手段に情報データが所定量蓄積されてから、前記バッファ手段に蓄積された情報データの光ディスクへの記録を再開する記録再開手段であることを特徴とする請求項２記載のディスク装置。
【発明の詳細な説明】
【技術分野】
【０００１】
本発明は、追記可能な光ディスク、書き換え可能な光ディスク等に情報データを記録再生するディスク装置に係り、特に情報データの記録中に、光ディスクへの書き込みパワーを決定するＯＰＣ（Ｏｐｔｉｍｕｍ  Ｐｏｗｅｒ  Ｃａｌｉｂｌａｔｉｏｎ）と呼ばれるキャリブレーションが必要になった際に、バッファメモリに一時的に蓄積された情報データがオーバフローして欠落することなく、光ディスクへの書き込みパワーを決定するＯＰＣと呼ばれるキャリブレーションを行うことができるディスク装置に関する。
【背景技術】
【０００２】
従来、ＤＶＤ−ＲＷ（Ｄｉｇｉｔａｌ  Ｖｅｒｓａｔｉｌｅ  Ｄｉｓｃ−ＲｅＷｒｉｔａｂｌｅ）等の光ディスクでは、通常記録動作中に光ディスクへの書き込みパワーを決定するＯＰＣと呼ばれるキャリブレーションを行わないようにしているため、光ディスクに情報データの記録時間が長時間になった場合、光ピックアップの周囲温度が上昇して、半導体レーザから出射されるレーザ光の波長がずれ、光ディスクへの書き込みパワーが最適値からずれて、光ディスクへの情報データの記録品質が劣化するため、光ディスクへの情報データの記録中に、記録時間が一定時間経過したとき、或いは、光ピックアップの周囲温度が一定以上温度上昇したとき、光ディスクのＰＣＡ（Ｐｏｗｅｒ  Ｃａｌｉｂｌａｔｉｏｎ  Ａｒｅａ）に所定のテストデータを記録再生して、光ディスクへの書き込みパワーを決定するＯＰＣと呼ばれるキャリブレーションを行うようにしている。しかし、光ディスクへの情報データの記録中に、光ディスクへの書き込みパワーを決定するＯＰＣと呼ばれるキャリブレーションを行った場合、光ディスクへの書き込みパワーを決定するＯＰＣと呼ばれるキャリブレーションに時間がかかり過ぎると、バッファメモリに蓄積された情報データがオーバフローして、光ディスクに記録すべき情報データが欠落するという問題点があった。
背景技術としては、光ディスクへの情報データの記録中に、光ピックアップのトラッキングに異常が発生した場合、光ディスクに情報データを等倍速以上の記録速度で記録するようにして、バッファメモリに蓄積された情報データのオーバフローを防止するようにしたものがあった（例えば、特許文献１参照）。
また、光ディスクに情報データを記録する際に、予め記録開始前に記録動作の準備を行って、光ピックアップを光ディスクの記録開始位置において待機し、バッファメモリに一時的に蓄積された情報データがオーバフローして欠落しないようにしたものがあった（例えば、特許文献２参照）。
【特許文献１】特開平１０−２８９５１７号公報
【特許文献２】特開平９−２８８８６１号公報
【発明の開示】
【発明が解決しようとする課題】
【０００３】
しかしながら、背景技術で述べたもののうち前者においては、光ディスクへの情報データの記録中に、光ピックアップのトラッキングに異常が発生した場合、光ディスクに情報データを等倍速以上の記録速度で記録するようにして、バッファメモリに蓄積された情報データのオーバフローを防止することができたが、光ディスクへの情報データの記録中に、光ピックアップのトラッキングに異常が発生した場合に、バッファメモリに記録された情報データを光ディスクに等倍速より速い記録速度で記録するようにしたものであって、光ディスクへの情報データの記録中に、光ディスクへの書き込みパワーを決定するＯＰＣと呼ばれるキャリブレーションに時間がかかり過ぎた場合に、バッファメモリに蓄積された情報データがオーバフローして、光ディスクに記録すべき情報データが欠落するという上記問題点を解決するようにしたものではなかった。
また、後者においては、光ディスクに情報データを記録する際に、予め記録開始前に記録動作の準備を行って、光ピックアップを光ディスクの記録開始位置において待機し、バッファメモリに一時的に蓄積された情報データがオーバフローして欠落しないようにすることができたが、光ディスクへの情報データを記録する際に、光ディスクに情報データを記録するための準備をして、情報データが入力されるのを待機するようにしたものであって光ディスクへの情報データの記録中に、光ディスクへの書き込みパワーを決定するＯＰＣと呼ばれるキャリブレーションに時間がかかり過ぎた場合に、バッファメモリに蓄積された情報データがオーバフローして、光ディスクに記録すべき情報データが欠落するという上記問題点を解決するようにしたものではなかった。
本発明は、背景技術の有するこのような問題点に鑑みてなされたものであり、その目的とするところは、光ディスクへの情報データの記録中に、光ディスクへの書き込みパワーを決定するＯＰＣと呼ばれるキャリブレーションが必要になったとき、光ディスクへの書き込みパワーを決定するＯＰＣと呼ばれるキャリブレーション中に、バッファメモリに蓄積された情報データがオーバフローして欠落することなく、情報データを光ディスクに記録することができるディスク装置を提供しようとするものである。
【課題を解決するための手段】
【０００４】
上記目的を達成するため本発明においては、追記可能な光ディスク、書き換え可能な光ディスクに情報データを記録再生するディスク装置であって、光ディスクへの情報データの記録時間を計時するタイマ手段と、光ピックアップの周囲温度を検出する温度検出手段と、光ディスクに記録する情報データを一時的に蓄積するバッファ手段と、前記タイマ手段が一定時間を計時したとき、或いは、前記温度検出手段が光ピックアップの周囲温度の一定以上の温度上昇を検出したとき、前記バッファ手段に蓄積された情報データを光ディスクに高速で記録する記録手段と、光ディスクへの書き込みパワーを決定するＯＰＣと呼ばれるキャリブレーションを行うキャリブレーション手段と、前記キャリブレーション手段により光ディスクへの書き込みパワーを決定するＯＰＣと呼ばれるキャリブレーションが終了したとき、前記バッファ手段に蓄積された情報データの光ディスクへの記録を再開する記録再開手段とを備える。
前記記録手段は、前記バッファ手段に蓄積された情報データを光ディスクに少なくとも２倍速以上の記録速度で記録するようにするとよい。
前記キャリブレーション手段は、前記記録手段により前記バッファ手段に蓄積された情報データが光ディスクに記録されて、前記バッファ手段に蓄積された情報データの蓄積量が殆どなくなったとき、光ディスクへの書き込みパワーを決定するＯＰＣと呼ばれるキャリブレーションを行うようにするとよい。
前記記録再開手段は、前記キャリブレーション手段により光ディスクへの書き込みパワーを決定するＯＰＣと呼ばれるキャリブレーションが終了した後、前記バッファ手段に情報データが所定量蓄積されてから、前記バッファ手段に蓄積された情報データの光ディスクへの記録を再開するようにするとよい。
これらの手段により、光ディスクへの情報データの記録中に、光ディスクへの書き込みパワーを決定するＯＰＣと呼ばれるキャリブレーションが必要になったとき、光ディスクへの書き込みパワーを決定するＯＰＣと呼ばれるキャリブレーション中に、バッファメモリに蓄積された情報データがオーバフローして欠落することなく、光ディスクに情報データを記録することができる。
【発明の効果】
【０００５】
請求項１記載の発明に係るディスク装置によれば、光ディスクへの情報データの記録時間が一定時間経過したとき、或いは、光ピックアップの周囲温度が一定以上温度上昇したとき、バッファ手段に蓄積された情報データを光ディスクに少なくとも２倍速以上の記録速度で記録し、バッファ手段に蓄積された情報データが光ディスクに記録されて、バッファ手段に蓄積された情報データの蓄積量が殆どなくなったとき、光ディスクへの書き込みパワーを決定するＯＰＣと呼ばれるキャリブレーションを行って、光ディスクへの書き込みパワーを決定するＯＰＣと呼ばれるキャリブレーションが終了した後、バッファ手段に情報データが所定量蓄積されてから、バッファ手段に蓄積された情報データの光ディスクへの記録を再開するようにしているので、光ディスクへの情報データの記録中に、光ディスクへの書き込みパワーを決定するＯＰＣと呼ばれるキャリブレーションが必要になったとき、光ディスクへの書き込みパワーを決定するＯＰＣと呼ばれるキャリブレーション中に、バッファメモリに蓄積された情報データがオーバフローして欠落することなく、光ディスクに情報データを記録することができ、光ディスクへの書き込みパワーを決定するＯＰＣと呼ばれるキャリブレーションの終了後に、バッファ手段に蓄積された情報データを高速で光ディスクに記録することができる。
請求項２記載の発明に係るディスク装置によれば、光ディスクへの情報データの記録時間が一定時間経過したとき、或いは、光ピックアップの周囲温度が一定以上温度上昇したとき、バッファ手段に蓄積された情報データを光ディスクに高速で記録して、光ディスクへの書き込みパワーを決定するＯＰＣと呼ばれるキャリブレーションを行い、光ディスクへの書き込みパワーを決定するＯＰＣと呼ばれるキャリブレーションが終了したとき、バッファ手段に蓄積された情報データの光ディスクへの記録を再開するようにしているので、光ディスクへの情報データの記録中に、光ディスクへの書き込みパワーを決定するＯＰＣと呼ばれるキャリブレーションが必要になったとき、光ディスクへの書き込みパワーを決定するＯＰＣと呼ばれるキャリブレーション中に、バッファメモリに蓄積された情報データがオーバフローして欠落することなく、光ディスクに情報データを記録することができる。
請求項３記載の発明に係るディスク装置によれば、バッファ手段に蓄積された情報データを光ディスクに少なくとも２倍速以上の記録速度で記録するようにしているので、光ディスクへの情報データの記録中に、光ディスクへの書き込みパワーを決定するＯＰＣと呼ばれるキャリブレーションが必要になったとき、光ディスクへの書き込みパワーを決定するＯＰＣと呼ばれるキャリブレーション中に、バッファメモリに蓄積された情報データがオーバフローしないようにすることができる。
請求項４記載の発明に係るディスク装置によれば、バッファ手段に蓄積された情報データが光ディスクに記録されて、バッファ手段に蓄積された情報データの蓄積量が殆どなくなったとき、光ディスクへの書き込みパワーを決定するＯＰＣと呼ばれるキャリブレーションを行うようにしているので、光ディスクへの書き込みパワーを決定するＯＰＣと呼ばれるキャリブレーション中に、バッファメモリに蓄積された情報データがオーバフローして欠落することなく、光ディスクに情報データを記録することができる。
請求項５記載の発明に係るディスク装置によれば、光ディスクへの書き込みパワーを決定するＯＰＣと呼ばれるキャリブレーションが終了した後、バッファ手段に情報データが所定量蓄積されてから、バッファ手段に蓄積された情報データの光ディスクへの記録を再開するようにしているので、光ディスクへの書き込みパワーを決定するＯＰＣと呼ばれるキャリブレーションの終了後に、バッファ手段に蓄積された情報データを高速で光ディスクに記録することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は光ディスクの各領域を示す説明図であり、図３は本発明の一実施例のディスク装置の動作を示す説明図であり、図４は本発明の一実施例のディスク装置の動作を示すフローチャートである。
まず、図１の本発明の一実施例のディスク装置の構成を示すブロック図を基に説明する。
ディスク装置１は、光ディスク２の記録面にレーザ光を照射して情報データを光ディスク２に記録するとともに、光ディスク２の記録面にレーザ光を照射してその反射光を検出して光ディスク２に記録された情報データを読み出す光ピックアップ３と、光ディスク２を回転させるスピンドルモータ４と、スピンドルモータ４を駆動して光ディスク２の回転速度をサーボ制御するスピンドルサーボ回路５と、光ピックアップ３を光ディスク２の半径方向に移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３により読み出された情報データを基準クロックに基づいて同期検出して復調し、復調された情報データの誤りを訂正して、所定の圧縮方式に基づいて圧縮された情報データを伸張して復号し、光ディスク２に記録された情報データを再生するとともに、情報データを符号化して所定の圧縮方式に基づいて圧縮し、光ピックアップ３を駆動して光ディスク２に情報データを記録する信号処理回路１１と、光ディスク２に記録する情報データを一時的に蓄積するバッファメモリ１２と、光ピックアップ３の周囲温度を検出するサーミスタ１３と、サーミスタ１３により検出された光ピックアップ３の周囲温度のアナログ信号をデジタル信号に変換するＡＤ変換回路１４と、ディスク装置１のシステム全体を制御するマイコン１５と、光ディスク２への情報データの記録時間等のディスク装置１の動作時間を計時するタイマ回路１６と、リモコン装置２０から送信された赤外線信号のリモコン信号を受信して、所定の電気信号に変換するリモコン受信部１７とで構成されている。
以上のように構成されたディスク装置について、以下その動作について説明する。
情報データの光ディスク２への記録が指令されると、マイコン１５は、スピンドルサーボ回路５に制御信号を送出して、スピンドルモータ４を駆動して光ディスク２を回転させ、スレッドサーボ回路７に制御信号を送出して、スレッドモータ６を駆動して光ピックアップ３を光ディスク２の内周のリードイン領域２ｂの内側のＰＣＡ２ｃに移動させ（図２参照）、トラッキングサーボ回路８とフォーカスサーボ回路９とに制御信号を送出して、光ピックアップ３のトラッキングとフォーカスとをサーボ制御し、信号処理回路１１に制御信号を送出して、光ディスク２のＰＣＡ２ｃに所定のテストデータを記録再生し、光ディスク２への書き込みパワーを決定するＯＰＣＯＰＣと呼ばれるキャリブレーションを行う。光ディスク２への書き込みパワーを決定するＯＰＣと呼ばれるキャリブレーションが終了すると、マイコン１５は、スレッドサーボ回路７に制御信号を送出して、スレッドモータ６を駆動して光ピックアップ３を光ディスク２のデータ記録領域２ａに移動させ（図２参照）、信号処理回路１１に制御信号を送出して、光ピックアップ３によりバッファメモリ１２に蓄積された情報データの光ディスク２への記録を開始する。
そして、タイマ回路１６により検出された情報データの光ディスク２への記録時間が一定時間経過した場合、或いは、サーミスタ１３により検出された光ピックアップ３の周囲温度が一定以上温度上昇した場合、マイコン１５は、光ディスク２への書き込みパワーを決定するＯＰＣと呼ばれるキャリブレーションが必要になったと判断して、光ディスク２への書き込みパワーを決定するＯＰＣと呼ばれるキャリブレーション中に、バッファメモリ１２に蓄積された情報データがオーバフローして、光ディスク２に記録する情報データが欠落することがないように、バッファメモリ１２に蓄積された情報データを少なくとも２倍速以上の記録速度で光ディスク２のデータ記録領域２ａ記録して、バッファメモリ１２に蓄積された情報データの蓄積量が殆どなくなると（図３参照）、スレッドサーボ回路７に制御信号を送出して、光ピックアップ３を光ディスク２の内周のリードイン領域２ｂの内側のＰＣＡ２ｃに移動させ（図２参照）、信号処理回路１１に制御信号を送出して、光ディスク２への書き込みパワーを決定するＯＰＣと呼ばれるキャリブレーションを開始し、光ディスク２への書き込みパワーを決定するＯＰＣと呼ばれるキャリブレーションを行う（図３参照）。
光ディスク２への書き込みパワーを決定するＯＰＣと呼ばれるキャリブレーションが終了すると、マイコン１５は、光ディスク２に記録する情報データがバッファメモリ１２に所定量蓄積されるまで待って、バッファメモリ１２に光ディスク２に記録する情報データが所定量蓄積されると（図３参照）、スレッドサーボ回路７に制御信号を送出して、光ピックアップ３を光ディスク２のデータ記録領域２ａに移動させて（図２参照）、光ディスク２への情報データの記録を再開し（図３参照）、バッファメモリ１２に蓄積された情報データを光ディスク２のデータ記録領域２ａに少なくとも２倍速以上の記録速度で記録する。
情報データの光ディスク２への記録時間が一定時間経過する毎に、或いは、光ピックアップ３の周囲温度が一定以上温度上昇する毎に、マイコン１５は、上記同様にして、光ディスク２への書き込みパワーを決定するＯＰＣと呼ばれるキャリブレーションを行いながら、バッファメモリ１２に蓄積された情報データを光ディスク２に記録して、光ディスク２への情報データの記録を終了する。
また、図４の本発明の一実施例のディスク装置の動作を示すフローチャートを基に説明する。
光ディスクへの情報データの記録が指令されると、ステップＳ１からステップＳ２に進み、ステップＳ２で、バッファメモリに蓄積された情報データの光ディスクへの記録が開始されて、ステップＳ３に進む。
ステップＳ３で、光ディスクへの情報データの記録時間が一定時間経過したか否かが判断され、光ディスクへの情報データの記録時間が一定時間経過した場合、ステップＳ６に進み、光ディスクへの情報データの記録時間が一定時間経過していない場合、ステップＳ４に進む。
ステップＳ４で、サーミスタにより光ピックアップの周囲温度が検出され、ステップＳ５に進む。
ステップＳ５で、サーミスタにより検出された光ピックアップの周囲温度が一定以上温度上昇したか否かが判断され、光ピックアップの周囲温度が一定以上温度上昇した場合、ステップＳ６に進み、光ピックアップの周囲温度が一定以上温度上昇していない場合、ステップＳ１２に進む。
ステップＳ６で、バッファメモリに蓄積された情報データが光ディスクに少なくとも２倍速以上の記録速度で記録され、ステップＳ７に進む。
ステップＳ７で、バッファメモリに蓄積された情報データの蓄積量が殆どなくなったか否かが判断され、バッファメモリに蓄積された情報データの蓄積量が殆どなくなった場合、ステップＳ８に進み、バッファメモリに蓄積された情報データの蓄積量が殆どなくなっていない場合、ステップＳ６に戻って、ステップＳ６からのステップを繰り返す。
ステップＳ８で、光ディスクへの書き込みパワーを決定するＯＰＣと呼ばれるキャリブレーションが開始されて、ステップＳ９に進む。
ステップＳ９で、光ディスクへの書き込みパワーを決定するＯＰＣと呼ばれるキャリブレーションが終了したか否かが判断され、光ディスクへの書き込みパワーを決定するＯＰＣと呼ばれるキャリブレーションが終了した場合、ステップＳ１０に進み、光ディスクへの書き込みパワーを決定するＯＰＣと呼ばれるキャリブレーションが終了していない場合、ステップＳ９のステップを繰り返す。
ステップＳ１０で、光ディスクに記録する情報データがバッファメモリに所定量蓄積されたか否かが判断され、光ディスクに記録する情報データがバッファメモリに所定量蓄積された場合、ステップＳ１１に進み、光ディスクに記録する情報データがバッファメモリに所定量蓄積されていない場合、ステップＳ１０のステップを繰り返す。
ステップＳ１１で、光ピックアップが光ディスクのデータ記録領域に移動されて、光ディスクへの情報データの記録が再開され、ステップＳ１２に進む。
ステップＳ１２で、光ディスクへの情報データの記録が終了したか否かが判断され、光ディスクへの情報データの記録が終了した場合、ステップＳ１３に進んで処理を終了し、光ディスクへの情報データの記録が終了していない場合、ステップＳ３に戻って、ステップＳ３からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】光ディスクの各領域を示す説明図である。
【図３】本発明の一実施例のディスク装置の動作を示す説明図である。
【図４】本発明の一実施例のディスク装置の動作を示すフローチャートである。
【符号の説明】
【０００８】
１  ディスク装置
２  光ディスク
２ａ  データ記録領域
２ｂ  リードイン領域
２ｃ  ＰＣＡ
３  光ピックアップ
４  スピンドルモータ
５  スピンドルサーボ回路
６  スレッドモータ
７  スレッドサーボ回路
８  トラッキングサーボ回路
９  フォーカスサーボ回路
１０  チューナ
１１  信号処理回路
１２  バッファメモリ
１３  サーミスタ
１４  ＡＤ変換回路
１５  マイコン
１６  タイマ回路
１７  リモコン受信部
２０  リモコン装置
【図１】
2006134420.tif 000003
【図２】
2006134420.tif 000004
【図３】
2006134420.tif 000005
【図４】
2006134420.tif 000006